(57)【要約】  本発明は、コンピュータトモグラフィの領域上でのアプリケーションのための有機ライン検出器を製造する方法に関する。この方法は以下のステップを含む：すなわち、・基板上に配置された酸化インジウムスズ（ＩＴＯ）層を選択的にエッチングするステップを含み、ここでこのエッチングによって少なくとも２つのＩＴＯ帯が形成され、・少なくとも１つの構造化されたマッシュルームフォトラックを当該ＩＴＯ帯の間に相互に分けて被着させるステップを含み、・少なくとも１つの有機正孔伝導体を前記マッシュルームフォトラックおよびＩＴＯ帯上に被着させるステップを含み、ここで少なくとも１つの有機正孔伝導体は前記ＩＴＯ帯上にのみ接着し、・前記有機正孔伝導体の層の上に、少なくとも１つの有機半導体を被着させるステップを含み、ここで当該有機半導体は前記有機正孔伝導体上にのみ接着し、前記マッシュルームフォトラック上には接着せず、・少なくとも２つのネガティブなトップ電極を前記有機半導体上に被着させるステップを含み、ここで当該トップ電極は相互に分けられている。
2008544509.tif 000002
【特許請求の範囲】
【請求項１】
コンピュータトモグラフィ用の有機ライン検出器を製造する方法であって、
以下のステップを含み：すなわち、
・基板（１）上に配置された酸化インジウムスズ（ＩＴＯ）層（２）を選択的にエッチングするステップを含み、ここで前記ＩＴＯ層と基板はポジティブな半透明の電極（１１）を構成し、エッチングによって、相互に分けられている少なくとも２つのＩＴＯ帯（２）を形成し、
・少なくとも１つの構造化されたマッシュルームフォトラック（３）を当該ＩＴＯ帯（２）の間に被着させるステップを含み、
・少なくとも１つの有機正孔伝導体（４）を前記マッシュルームフォトラック（３）およびＩＴＯ帯（２）上に被着させるステップを含み、ここで少なくとも１つの有機正孔伝導体（４）は前記ＩＴＯ帯（２）上にのみ接着し、
・前記有機正孔伝導体（４）の層の上に、少なくとも１つの有機半導体（５）を被着させるステップを含み、ここで当該有機半導体（５）は前記有機正孔伝導体（４）上にのみ接着し、前記マッシュルームフォトラック（３）上には接着せず、
・少なくとも２つのネガティブなトップ電極（６）を前記有機半導体（５）上に被着させるステップを含み、ここで当該トップ電極は相互に分けられている、
ことを特徴とする、有機ライン検出器を製造する方法。
【請求項２】
前記ライン検出器は、相互に別個にされた１６個のＩＴＯ帯（２）、相互に分けられた１６個の有機正孔伝導体帯（４）、相互に分けられた１６個の有機半導体帯（５）および相互に分けられた１６個のトップ電極帯（６）を含み、当該帯は有機ライン検出器のラインを構成する、請求項１記載の有機ライン検出器を製造する方法。
【請求項３】
前記有機ライン検出器のラインの間の間隔は等しい、請求項１から２に記載の有機ライン検出器を製造する方法。
【請求項４】
前記有機ライン検出器のラインの間の間隔は異なっている、請求項１から３に記載の有機ライン検出器を製造する方法。
【請求項５】
前記基板（１）はガラスおよび／またはプラスチック薄膜を含む、請求項１から４に記載の有機ライン検出器を製造する方法。
【請求項６】
前記プラスチック薄膜は柔軟性である、請求項３に記載の有機ライン検出器を製造する方法。
【請求項７】
前記プラスチック薄膜はポリマー薄膜である、請求項３に記載の有機ライン検出器を製造する方法。
【請求項８】
前記有機正孔伝導体はＰＥＤＯＴを含む、請求項１から７に記載の有機ライン検出器を製造する方法。
【請求項９】
前記有機半導体はＰ３ＨＴおよび／またはＰＣＢＭを含む、請求項１から８に記載の有機ライン検出器を製造する方法。
【請求項１０】
前記トップ電極（６）は金属を含む、請求項１から９に記載の有機ライン検出器を製造する方法。
【請求項１１】
前記トップ電極（６）はＣａおよび／またはＡｌおよび／またはＡｕおよび／またはＡｇおよび／またはＰｔを含む、請求項１から１０に記載の有機ライン検出器を製造する方法。
【請求項１２】
前記相互に別個にされた帯は平行である、請求項１から１１に記載の有機ライン検出器を製造する方法。
【請求項１３】
前記相互に別個にされた帯は任意の経路を有する、請求項１から１２に記載の有機ライン検出器を製造する方法。
【請求項１４】
前記マッシュルームフォトラック構造体（３）をスピンキャスティングによって被着する、請求項１から１３に記載の有機ライン検出器を製造する方法。
【請求項１５】
前記有機正孔伝導体（４）をスピンキャスティングによって被着する、請求項１から１４に記載の有機ライン検出器を製造する方法。
【請求項１６】
前記有機半導体（５）をスピンキャスティングによって被着する、請求項１から１５に記載の有機ライン検出器を製造する方法。
【請求項１７】
前記マッシュルームフォトラック構造体（３）はネガティブなエッジを有している、請求項１から１６に記載の有機ライン検出器を製造する方法。
【請求項１８】
前記有機ライン検出器はコンピュータトモグラフィの領域上のアプリケーションに対して使用される、請求項１から１７に記載の有機ライン検出器を製造する方法。
【請求項１９】
コンピュータトモグラフィ用の有機ライン検出器（３１）であって、
当該有機ライン検出器は以下の部材を有しており：すなわち、
基板（１）を有しており、ここで当該基板上には少なくとも２つの酸化インジウムスズ（ＩＴＯ）帯（２）が配置され、当該帯は相互に別個にされており、ここでＩＴＯ層と基板はポジティブな半透明電極（１１）を構成し、
構造化されたマッシュルームフォトラック（３）を有しており、当該マッシュルームフォトラックは前記ＩＴＯ帯（２）の間に位置し、
少なくとも１つの有機正孔伝導体（４）を有しており、当該有機正孔伝導体は前記ＩＴＯ帯（２）上にのみ配置されており、
少なくとも１つの有機半導体（５）を有しており、当該有機半導体は前記有機正孔伝導体（４）にのみ配置されており、
少なくとも２つのネガティブなトップ電極（６）を有しており、当該トップ電極は前記有機半導体（５）上にのみ配置されており、ここで当該トップ電極（６）は相互に別個にされている、
ことを特徴とする、トモグラフィ用の有機ライン検出器。
【請求項２０】
前記ライン検出器は、相互に別個にされた１６個のＩＴＯ帯（２）、相互に分けられた１６個の有機正孔伝導体帯（４）、相互に分けられた１６個の有機半導体帯（５）および相互に分けられた１６個のトップ電極帯（６）を含み、当該帯は有機ライン検出器のラインを構成する、請求項１９記載の有機ライン検出器（３１）。
【請求項２１】
前記有機ライン検出器のラインの間の間隔は等しい、請求項１９から２０に記載の、コンピュータトモグラフィ用の有機ライン検出器（３１）。
【請求項２２】
前記有機ライン検出器のラインの間の間隔は異なっている、請求項１９から２１に記載の、コンピュータトモグラフィ用の有機ライン検出器（３１）。
【請求項２３】
前記基板（１）はガラスおよび／またはプラスチック薄膜を含む、請求項１９から２２に記載の、コンピュータトモグラフィ用の有機ライン検出器（３１）。
【請求項２４】
前記プラスチック薄膜は柔軟性である、請求項２３に記載の、コンピュータトモグラフィ用の有機ライン検出器（３１）。
【請求項２５】
前記プラスチック薄膜はポリマー薄膜である、請求項２４に記載の、コンピュータトモグラフィ用の有機ライン検出器（３１）。
【請求項２６】
前記有機正孔伝導体はＰＥＤＯＴを含む、請求項１９から２５に記載の、コンピュータトモグラフィ用の有機ライン検出器（３１）。
【請求項２７】
前記有機半導体はＰ３ＨＴおよび／またはＰＣＢＭ含む、請求項１９から２６に記載の、コンピュータトモグラフィ用の有機ライン検出器（３１）。
【請求項２８】
前記トップ電極（６）は金属を含む、請求項１９から２７に記載の、コンピュータトモグラフィ用の有機ライン検出器（３１）。
【請求項２９】
前記トップ電極（６）はＣａおよび／またはＡｌおよび／またはＡｕおよび／またはＡｇおよび／またはＰｔを含む、請求項１９から２８に記載の、コンピュータトモグラフィ用の有機ライン検出器（３１）。
【請求項３０】
前記相互に別個にされた帯は平行である、請求項１９から２９に記載の、コンピュータトモグラフィ用の有機ライン検出器（３１）。
【請求項３１】
前記相互に別個にされた帯は任意の経路を有している、請求項１９から３０に記載の、コンピュータトモグラフィ用の有機ライン検出器（３１）。
【請求項３２】
前記マッシュルームフォトラック構造体（３）はネガティブなエッジを有している、請求項１９から３１に記載の、コンピュータトモグラフィ用の有機ライン検出器（３１）。
【発明の詳細な説明】
【技術分野】
【０００１】
発明の詳細な説明
本発明は、有機ライン検出器およびコンピュータトモグラフィ用の有機ライン検出器の製造方法に関する。
【０００２】
ライン検出器は今日、有利には、コンピュータトモグラフィ（ＣＴ）の、医療および技術的な用途に使用されており、殊に二次元的なコンピュータトモグラフィ（２Ｄ−ＣＴ）で使用されている。
【０００３】
２Ｄ−ＣＴでは、検査対象にＸ線源の扇状のビームが照射され、透過された強度がライン検出器によって測定される。
【０００４】
対象が回転する間、数百の一次元投影から、測定面における二次元切断面が再構築される。対象が各測定に対して軸方向において、充分な数の切断面が得られるまでずらされることによって、三次元の結果が得られる。
【０００５】
この原理は、医療的なＣＴ装置でも、産業的なＣＴ装置でも使用される。
【０００６】
ライン検出器の利点は効率が高いと同時に、散乱ビームが実質的に抑圧されることである。
【０００７】
現行のライン検出器は、キセノンガス検出器またはシンチレーション固体検出器等の今日のダイレクトコンバータであり、これはシンチレーション材料、例えばタングステン酸カドミウム（ＣｄＷ０４）または、希土類元素から成る。
【０００８】
正孔伝導体および半導体を含み、技術的に容易に被着可能な相応の有機ライン検出器は今日まで知られていない。
【０００９】
従って本発明の課題は、相応に分割されたラインゲオメトリーを備えた正孔伝導体および半導体を含む、有機ライン検出器の製造方法を提供することである。
【００１０】
有機正孔伝導体および半導体はエッチングに関してプロセスに適していないので、ライン検出器の個々のラインの電気的な分割は、いわゆる「マッシュルーム」フォトラック構造によって行われる。
【００１１】
上述の課題を解決するために、本発明は、以下のステップを含む、有機ライン検出器の製造方法を開示する：すなわち、
基板上に配置された酸化インジウムスズ（ＩＴＯ）層を選択的にエッチングするステップ。ここでＩＴＯ層と基板はポジティブな半透明の電極を構成する。エッチングによって、相互に分けられている少なくとも２つのＩＴＯ帯が形成される。
【００１２】
少なくとも１つの構造化されたマッシュルームフォトラックをＩＴＯ帯の間に設けるステップ。
【００１３】
少なくとも１つの有機正孔伝導体をマッシュルームフォトラックおよびＩＴＯ帯上に設けるステップ。ここで少なくとも１つの有機正孔伝導体は、ＩＴＯ帯上にのみ接着される。
【００１４】
有機正孔伝導体の層の上に、少なくとも１つの有機半導体を被着するステップ。ここで有機半導体は有機正孔伝導体上にのみ接着され、マッシュルームフォトラック上には接着されない。
【００１５】
少なくとも２つのネガティブなトップ電極を有機半導体上に被着するステップ。ここでトップ電極は相互に分けられている。
【００１６】
本発明の有機ライン検出器を製造する本発明に相応の方法によって、次の利点が生じる。すなわち、トップ電極が電気的に相互に別個にされ、これによって半導体の切り離しが行われるという利点である。
【００１７】
有機ライン検出器を製造する方法の本発明の別の側面では有利には、ライン検出器は相互に別個にされた１６個のＩＴＯ帯、ひいては相互に分けられた１６個の有機正孔伝導体帯、相互に分けられた１６個の有機半導体帯および相互に分けられた１６個のトップ電極帯を含む。これによって１６個のラインを伴うライン検出器が実現される。これによって、以下の利点が生じる。すなわち、ライン検出器の個々の１６個のラインが相互に電気的に別個にされ、短絡が生じないという利点である。さらに、殊に１６ライン検出器がＣＴアプリケーションに必要とされる。
【００１８】
有機ライン検出器の製造方法の本発明の別の側面では、有機ライン検出器のラインの間の間隔は等しい。これによって、ライン検出器は高い画質を有し、さらに容易かつ低コストに製造されるという利点が生じる。  有機ライン検出器の製造方法の本発明の別の側面では、有機ライン検出器のラインの間の間隔は異なっている。これによって、ライン検出器がその時々で適しているアプリケーションに適合する、という利点が得られる。
【００１９】
有機ライン検出器の製造方法の本発明の別の側面では有利には、基板はガラスおよび／またはプラスチック薄膜を含む。これによって、電極は半透明で、比較的低いエネルギーのビームを透過させるという利点が得られる。
【００２０】
さらに、プラスチック薄膜を使用する場合には、質量が少なくなり、技術的に容易に扱うことができるという利点が生じる。同じように、ガラスまたはプラスチック薄膜基板によって、低コストの製造が可能になる。
【００２１】
有機ライン検出器の製造方法の本発明の別の側面では有利には、プラスチック薄膜は柔軟性である。これによって、薄膜を非平坦に形成された表面上に被着させることができるという利点が得られる。
【００２２】
有機ライン検出器の製造方法の本発明の別の側面では有利には、プラスチック薄膜はポリマー薄膜である。これによって以下の利点が得られる。すなわち、薄膜を非平坦に形成された表面上に被着させることができ、かつ低コストに製造されるという利点が得られる。
【００２３】
有機ライン検出器の製造方法の本発明の別の側面では有利には、有機正孔伝導体はＰＥＤＯＴを含んでいる。これによって以下の利点が得られる。すなわち、半透明のポジティブな電極から、ネガティブなトップ電極への最適な電荷搬送が生じるという利点が得られる。
【００２４】
有機ライン検出器の製造方法の本発明の別の側面では有利には、有機半導体はＰ３ＨＴおよび／またはＰＣＢＭを含む。これによって以下の利点が得られる。すなわち、半透明のポジティブな電極から、ネガティブなトップ電極への最適な電荷搬送が生じるという利点が得られる。
【００２５】
有機ライン検出器の製造方法の本発明の別の側面では有利には、トップ電極は金属を含む。これによって、本発明では、改善された電荷キャリヤ搬送が、ポジティブな半透明電極とトップ電極との間で生じるという利点が得られる。
【００２６】
有機ライン検出器の製造方法の本発明の別の側面では有利には、トップ電極はＣａおよび／またはＡｌおよび／またはＡｕおよび／またはＡｇおよび／またはＰｔを含む。これによって本発明では次の利点が得られる。すなわち、ポジティブな半透明電極とトップ電極との間で電荷キャリヤ搬送が改善され、同じように、有機半導体上での電極の改善された接触接続が得られるという利点である。
【００２７】
有機ライン検出器の製造方法の本発明の別の側面では有利には、相互に別個にされた帯は平行である。これによって次の利点が得られる。すなわち、相応するＣＴアプリケーションが改善された解像度を有し、ライン検出器が容易に製造されるという利点である。
【００２８】
有機ライン検出器の製造方法の本発明の別の側面では有利には、相互に別個にされた帯は任意の経路を有している。これによって、相応のＣＴアプリケーションのもとで検出器が改善された解像度を有するという利点が得られる。
【００２９】
さらに、本発明の別の側面では有利には、少なくとも１つのマッシュルームフォトラック構造がスピンキャスティングによって被着される。これによって、本発明のマッシュルームフォトラック構造が容易に、迅速かつ低コストに、ＩＴＯ帯の間に被着されるという利点が生じる。
【００３０】
さらに、本発明の有機ライン検出器の製造方法では有利には、有機正孔伝導体４の被着はスピンキャスティングによって行われる。これによって本発明の有機正孔伝導体は容易、迅速かつ低コストに、マッシュルームフォトラック構造上に、およびＩＴＯ帯上に被着される。
【００３１】
さらにこれによって、次の利点が得られる。すなわち、有機正孔伝導体の層がマッシュルームフォトラック構造で途切れ、ＩＴＯ帯上にのみ接着されるという利点である。
【００３２】
さらに、本発明の有機ライン検出器の製造方法では有利には、有機半導体の被着はスピンキャスティングによって行われる。これによって、本発明の有機正孔伝導体は容易に、迅速かつ低コストにマッシュルームフォトラック構造上および有機正孔伝導体上に被着される。
【００３３】
さらにこれによって、次の利点が得られる。すなわち、有機半導体の層がマッシュルームフォトラック構造で途切れ、ＩＴＯ帯上にのみ接着するという利点である。
【００３４】
これによって、半透明の電極、ＩＴＯ帯、有機正孔伝導体、有機半導体およびトップ電極を含む個々のラインが電気的に相互に分けられる。
【００３５】
さらに本発明の有機ライン検出器の製造方法では有利には、マッシュルームフォトラック構造はネガティブなエッジを有している。これはＯＬＥＤ技術（Organic Light Emitting Dioden-Technologie）から公知である。これによって、マッシュルームフォトラック構造体が容易に、ＩＴＯ構造の間に被着され、その上に続く、正孔伝導体の有機層に対して選択的に作用する。ここで正孔伝導体はＩＴＯ構造体の上にのみ接着される。
【００３６】
さらに、マッシュルームフォトラック構造体のネガティブなエッジによって次の利点が得られる。すなわち、マッシュルームフォトラック構造が、その上に続く半導体有機層に対して選択的に作用するという利点である。ここで半導体は、有機正孔伝導体上にのみ接着される。
【００３７】
さらに本発明の有機ライン検出器の製造方法では有利には、有機ライン検出器がコンピュータトモグラフィの領域上のアプリケーションに対して使用される。これによって次の利点が生じる。すなわち、本発明のライン検出器が有機正孔伝導体および半導体の使用時に、ＣＴアプリケーション用のライン検出器の容易かつ低コストの製造を可能にし、従来のライン検出器と比べて改善された画質をもたらす、という利点が生じる。
【００３８】
さらに、本発明は以下の部材を有する有機ライン検出器を開示する：
基板。ここでこの基板上には、少なくとも２つの酸化インジウムスズ（ＩＴＯ）帯が配置され、これらの帯は相互に別個にされており、ここでＩＴＯ層と基板はポジティブな半透明電極を構成する。
【００３９】
構造化されたマッシュルームフォトラック。このマッシュルームフォトラックは、ＩＴＯ帯の間に位置する。
【００４０】
少なくとも１つの有機正孔伝導体。この有機正孔伝導体は、ＩＴＯ帯上にのみ配置されている。
【００４１】
少なくとも１つの有機半導体。この有機半導体は有機正孔伝導体にのみ配置される。
【００４２】
少なくとも２つのネガティブなトップ電極。このトップ電極は有機半導体上にのみ配置されており、ここでトップ電極は相互に別個にされている。
【００４３】
本発明の別の側面では有利には、有機ライン検出器は相互に別個にされた１６個のＩＴＯ帯、相互に別個にされた１６個の有機正孔伝導体帯、相互に別個にされた１６個の有機半導体帯および相互に別個された１６個のトップ電極帯を含む。これらは有機ライン検出器のラインを構成している。これによって、ライン検出器が最適な画質を有し、容易に製造可能であるという利点が得られる。
【００４４】
本発明の別の側面では有利には、有機ライン検出器のラインの間の間隔は等しい。これによって、ライン検出器が最適な画質を有し、容易に製造可能であるという利点が得られる。
【００４５】
本発明の別の側面では有利には、有機ライン検出器のラインの間の間隔は異なっている。これによって、ライン検出器が最適な画質を有し、容易に製造可能であるという利点が得られる。
【００４６】
本発明の別の側面では有利には、基板はガラスおよび／またはプラスチック薄膜を含む。これによって、ライン検出器を低コストに製造することができるという利点が生じる。
【００４７】
本発明の別の側面では有利には、プラスチック薄膜は柔軟性である。これによって、ライン検出器を個別に使用することができるという利点が生じる。
【００４８】
本発明の別の側面では有利には、プラスチック薄膜はポリマー薄膜である。これによって、ライン検出器を低コストに製造することができるという利点が生じる。
【００４９】
本発明の別の側面では有利には、有機正孔伝導体はＰＥＤＯＴを含む。これによって、ライン検出器が最適な画質を有し、容易に製造可能であるという利点が得られる。
【００５０】
本発明の別の側面では有利には、有機半導体はＰ３ＨＴおよび／またはＰＣＢＭを含む。これによって、ライン検出器が最適な画質を有し、容易に製造可能であるという利点が得られる。
【００５１】
本発明の別の側面では有利には、トップ電極は金属を含む。これによって、ライン検出器が最適な画質を有し、容易に製造可能であるという利点が得られる。
【００５２】
本発明の別の側面では有利には、トップ電極はＣａおよび／またはＡｌおよび／またはＡｕおよび／またはＡｇおよび／またはＰｔを含む。これによって、ライン検出器が最適な画質を有し、容易に製造可能であるという利点が得られる。これによって、ライン検出器の電極での接触接続が改善される。
【００５３】
本発明の別の側面では有利には、相互に分けられた帯は平行である。これによって、ライン検出器が最適な画質を有し、容易に製造可能であるという利点が得られる。
【００５４】
本発明の別の側面では有利には、相互に分けられた帯は任意の経路を有している。これによって、ライン検出器を個別に使用することができるという利点が生じる。
【００５５】
本発明の別の側面では有利には、マッシュルームフォトラック構造はネガティブなエッジを有している。これによって、ライン検出器が最適な画質を有し、容易に製造可能であるという利点が得られる。
【００５６】
本発明の他の利点および特徴および使用の可能性を、図面に関連した有利な実施形態の以下の詳細な説明に記載する。
【００５７】
図１はＩＴＯを備えたものの断面図を示しており、
図２は、ＩＴＯ層のエッチングされた構造化された帯の平面図を示しており、
図３は、別個にされたＩＴＯ帯、有機正孔伝導体、有機半導体および別個にされたトップ電極を伴う本発明の有利な実施形態の断面図を示しており、
図４は、本発明の有機ライン検出器の製造方法の概略的なフローチャートである。
【００５８】
図１は、酸化インジウムスズ２（ＩＴＯ、Indium Tin Oxide）が積層された基板１の断面図を示している。
【００５９】
ここでＩＴＯ層２は基板１上に積層されており、この基板はガラスまたは柔軟なプラスチック薄膜を含んでいてよい。
【００６０】
同じように基板はポリマー薄膜を含んでいてよい。
【００６１】
基板１および被着されたＩＴＯ層２は、半透明のポジティブな電極１１を構成する。ここでこの電極は後の使用時に、ライン検出器の正面を構成する。
【００６２】
図２は、ＩＴＯ層２の、エッチングされ、構造化された帯の平面図を示している。この図は、半透明の電極１１をエッチングした後のものである。
【００６３】
この実施形態に示された帯２は、相互に平行な、線形の配向を有している。ここで帯が相互に別個にされていることに留意されたい。
【００６４】
同じように、帯が任意の幾何学的形状を有し、任意に相互に別個に配置されている実施形態が可能である。
【００６５】
図３は、別個にされたＩＴＯ帯２、有機正孔伝導体４、有機半導体５および別個にされたトップ電極６を伴う本発明の有利な実施形態の断面図を示している。
【００６６】
ここでこの方法の第１のステップにおいて、基板１上の均一なＩＴＯ層２がエッチング方法によって構造化され、選択的にエッチングされている。
【００６７】
有利な実施形態では、この線形のＩＴＯ帯２は相互に平行に位置しており、相互に同じ間隔で分けられている。
【００６８】
同じように、既に図２で示されているように、ＩＴＯ帯２が任意の幾何学的形状および位置を基板上で有する実施形態が可能である。
【００６９】
エッチングが行われた後、ＩＴＯ帯２の間にはいわゆる「マッシュルーム」フォトラック構造体３が被着される。ここではスピンキャスティング方法が使用される。
【００７０】
次に有機正孔伝導体３がＩＴＯ帯２上に、およびＩＴＯ帯上にあるマッシュルーフォトラック構造体３上に、スピンキャスティングを用いて被着される。
【００７１】
有機正孔伝導体のスピン時に、有機正孔伝導体の構造はマッシュルーム構造３で途切れ(abreissen）、個々のラインの間の層が別個にされる。基板１の方を向いていない、ＩＴＯ帯２の表面にのみ有機正孔伝導体が接着される。
【００７２】
次に、基板１、ＩＴＯ２、マッシュルームフォトラック３および有機正孔伝導体４から構成されるこのライン構造上に、有機半導体５がスピンキャスティングによってスピニングされる。
【００７３】
ここで、有機正孔伝導体４のときと同じ効果が生じる。すなわち、有機半導体はマッシュルームフォトラック構造体３上に接着されず、有機半導体５は有機正孔伝導体３、ひいてはＩＴＯ帯２上にのみ接着される。
【００７４】
有機半導体５がスピニングされた後、次に、各ラインにトップ電極６がスピンキャスティングによって被着される。ここでこのトップ電極は同じように相互に電気的に別個にされる。
【００７５】
従ってマッシュルームフォトラック構造体３によって、本発明のライン検出器のライン間でトップ電極６が良好に電気的に分断される。
【００７６】
半透明の電極１１上にビームが入射するとき、従って、トップ電極６と半透明電極１１との間に電位差が生じる。ここで一方では、トップ電極６と半透明電極１１との間の電子の電荷移動が半透明電極１１の方向において生じ、他方では、正孔の電荷移動がトップ電極６の方向で生じる。
【００７７】
図４は、本発明の有機ライン検出器の製造方法の概略的なフローチャートである。
【００７８】
コンピュータトモグラフィのための有機ライン検出器の製造方法では、ステップ４１において、上部に酸化インジウムスズ（ＩＴＯ）層２が配置されている基板１が選択的にエッチングされる。ここでＩＴＯ層と基板はポジティブな半透明電極１１を構成する。
【００７９】
エッチング時には少なくとも２つのＩＴＯ帯２が形成される。ここでこれらは相互に別個にされている。
【００８０】
ステップ４２では、少なくとも１つの構造化されたマッシュルームフォトラック３がこのＩＴＯ帯２の間に設けられる。
【００８１】
ステップ４３は、少なくとも１つの有機正孔伝導体４をマッシュルームフォトラック３およびＩＴＯ帯上２に載置することを示す。ここで少なくとも１つの有機正孔伝導体４は、ＩＴＯ帯２上でのみ接着する。
【００８２】
ステップ４４は、有機正孔伝導体４の層の上に、少なくとも１つの有機半導体５を載置することを示す。ここで有機半導体５は、有機正孔伝導体４上にのみ接着し、マッシュルームフォトラック３上には接着しない。
【００８３】
次にステップ４５は少なくとも２つのネガティブなトップ電極６を有機半導体５の上に載置することを示す。ここでトップ電極６は相互に分けられている。
【図面の簡単な説明】
【００８４】
【図１】酸化インジウムスズが積層された基板の断面図
【図２】ＩＴＯ層のエッチングされた構造化された帯の平面図
【図３】別個にされたＩＴＯ帯、有機正孔伝導体、有機半導体および別個にされたトップ電極を伴う本発明の有利な実施形態の断面図
【図４】本発明の有機ライン検出器の製造方法の概略的なフローチャート
【図１】
2008544509.tif 000003
【図２】
2008544509.tif 000004
【図３】
2008544509.tif 000005
【図４】
2008544509.tif 000006
【国際調査報告】
2008544509.tif 000007
2008544509.tif 000008
2008544509.tif 000009
2008544509.tif 000010
2008544509.tif 000011
2008544509.tif 000012